(57)【要約】      （修正有）【課題】カップ部とブラジャー側部の細条部の作用により乳房の形状を下から上に脇から中心に補整する機能のブラジャーを提供する。【解決手段】ノンワイヤーのカップ部と、該カップ部に装着の乳房へのフィッティング性の良好なカップと、ブラジャー１の左右のカップ部の脇側のカップ側部３ａから背中に伸びるブラジャー側部の細条部４と、左右のカップ部の脇側のカップ側部３ａに縦方向に配設したループ状のパイルの向きを乳房側に向けた多数のループ状のパイルを有する滑り止め機能付き伸縮性の細幅のラッセルレースと、上記の細条部４の下端に沿って横方向に配設のループ状のパイルの向きを下方に向けた多数のループ状パイルを有する滑り止め機能付き伸縮性の細幅のラッセルレースからなる。【選択図】図２
0003170589.tif 000002
【実用新案登録請求の範囲】
【請求項１】
ブラジャー（１）において、乳房へのフィッティング性の良好なカップを有するノンワイヤーのカップ部（２）と、ブラジャー（１）の左右のカップ部（２）の脇側のカップ側部（３ａ）から背中に伸びるブラジャー側部の細条部（４）と、左右のカップ部（２）の脇側のカップ側部（３ａ）に縦方向に配設した細幅のラッセルレース（６）のループ状のパイル（８ａ）の向きを乳房側に向けた多数のループ状のパイル（８ａ）をからなる滑り止め機能付き伸縮性の細幅のラッセルレース（８）と、上記のブラジャー側部の細条部（４）の下端に沿って横方向に配設のループ状のパイル（８ａ）の向きを下方に向けた多数のループ状のパイル（８ａ）を有する滑り止め機能付き伸縮性の細幅のラッセルレース（８）とからなることを特徴とするノンワイヤーのブラジャー（１）。
【考案の詳細な説明】
【技術分野】
【０００１】
この考案はブラジャーのカップ部にワイヤーを挿入していない、ノンワイヤーとしたブラジャーでありながら、乳房をバストの中央部に寄せ、さらに乳房を持ち上げる補整機能を有するブラジャーを提供することである。
【背景技術】
【０００２】
従来のブラジャーは乳房の下部を上方に支持して垂れた乳房の形状を補整するために、ブラジャーのカップ部の下部に、ワイヤーと称される金属製のワイヤーや、プラスチック製のワイヤーや、あるいは硬質化し布地性のワイヤーを挿入していた。ところで、これらのワイヤーの挿入において、身体に負担をかけないようにブラジャーのカップ部の下部に注意して挿入しても、このワイヤーを挿入したブラジャーを長時間にわたって身体に装着していると身体に負担がかかり、ワイヤーから受ける痛みを身体に感じていた。
【０００３】
そこで、従来は、これらのワイヤーの断面形状を例えば偏平にしたり、布地にくるんで身体と当接する部位を柔軟なものとするなどの種々の工夫が行われてきた。
【０００４】
例えば、ワイヤーによる締め付けを解消し、しかもワイヤー入りタイプと同様の乳房の保持性及び形態復元性を具備しており、バストの補整機能を発揮することが可能なカップ部を有する女性用衣類が提案されている（例えば、特許文献１参照。）。この提案では、ワイヤーに代えて、カップ部の下側周縁に沿って、乳房を保持するに足る硬度と、縫製可能な程度の柔軟性と、形態復元性を兼備する生地から形成した乳房保持部材を備えているものである。しかし、このものも長時間装着しているとワイヤー入りタイプのものと同様に乳房に痛みを覚えてくるようになった。
【先行技術文献】
【特許文献】
【０００５】
【特許文献１】特開平１１−１４７９０号公報
【考案の概要】
【考案が解決しようとする課題】
【０００６】
本考案が解決しようとする課題は、長時間にわたってバストに装着していても、身体に痛みを覚えることがなく、しかもバストのシェイプアップ効果が高く、補整機能を幅広く図ったノンワイヤータイプのカップ部を有するブラジャーを提供することである。
【課題を解決するための手段】
【０００７】
上記の課題を解決するための本考案の手段は、請求項１の考案では、カップ部を有するブラジャーをワイヤーの挿入されていないノンワイヤーから形成し、該カップ部に装着したカップを乳房に対するフィッティング性の良好なカップとし、多数のループ状パイルからなる滑り止め機能付き伸縮性細幅ラッセルレースを左右のカップ部の脇側のカップ側部に縦方向に配設してこれらのループ状パイルの向きを乳房側に向け、さらに左右のカップ部の脇側のカップ側部から背中に伸びるラジャーの左右のカップ部の脇側から背中側に伸びるブラジャー側部の細条部の下端に沿って横方向に、多数のループ状パイルを有する滑り止め機能付き伸縮性の細幅ラッセルレースの、ループ状パイルの向きを下方に向けて配設していることからなるノンワイヤーのブラジャーである。
【考案の効果】
【０００８】
この考案は上記の手段とすることで、本考案のブラジャーを長期にわたって身体に挿着しても、ワイヤーがカップ部に挿着されていないノンワイヤーであるので、従来のように身体に痛みを覚えることない。しかも、脇側のカップ側部に縦方向に滑り止め機能付き伸縮性細幅ラッセルレースのパイルの向きを乳房側に向けて配設しているので、乳房が横に広がらないようになって身体の中央に向くように補整される。さらに、ブラジャーの左右のカップ部の脇側から背中側に伸びる細条部の下端に沿う横方向に、滑り止め機能付きの伸縮性の細幅ラッセルレースのパイルの向きを下方に向けて配設しているので、背中に伸びるブラジャーの細条部が下方にずり落ちることが阻止されている。このように本考案は優れた効果を奏するものである。
【図面の簡単な説明】
【０００９】
【図１】本考案のブラジャーの表側の図である。
【図２】本考案のブラジャーの裏側の図である。
【図３】本考案で用いるループ状のパイルを有する滑り止め機能付き伸縮性の細幅ラッセルレースを示す図である。
【考案を実施するための形態】
【００１０】
この考案を図面を参照して以下に説明する。図１は本考案のブラジャー１を表側から見た図で、女性がバストの周囲に装着した際、ブラジャー１のカップ部２を乳房へフィットさせ、乳房をしたから支持し、さらに左右の乳房をバストの中心側に寄せて乳房の向きを補正して、バストを格好よく見せている。このブラジャー１はカップ部２の脇側と下側をカップ部支承部３を有し、さらに、このカップ部支承部３の脇側のカップ側部３ａの左右から背中に伸びるブラジャー側部の細条部４を有する。この細条部４の先端部には、一方の細条部４の先端部の表側に留め具であるホックの係止環４ａを有し、他方の細条部４の先端部の裏側に留め具であるホック４ｂを有し、背中でブラジャーの左右の細条部の４の先端を係止して一体化する。さらに、カップ部２の最上部に肩に係止してブラジャー１を支持するストラップ５が設けられて、このストラップ５の先端はブラジャー１の背中に伸びるブラジャー側部の細条部４の上辺に係止されており、ブラジャー１を一定の高さに保持して乳房を下から支持している。
【００１１】
図２は本考案のブラジャー１を裏側から見た図で、カップ部１の背面２ａを下側から支持するカップ支承部３と脇側から支持する脇側のカップ側部３ａを有し、これらの左右の脇側のカップ側部３ａには、ループ状のパイル８ａを有するラッセルレース８を縦方向に配設した細幅のラッセルレース４を設けており、パイル８ａの向きをカップ部２側に向けている。さらに、ブラジャー側部の細条部４の下辺には多数のパイル８ａを有する横方向に配設の細幅のラッセルレース７を設け、そのラッセルレース７に形成のパイル８ａの向きを下方に向けてブラジャー１の側部を下から支持し、結果としてブラジャー１を一定の高さに保持して乳房を下から支持している。
【００１２】
図３はラッセルレース８を示す図である。図３に示すように、多数のパイル８ａの全てをパイルの向き８ａの矢印で示す方向としたラッセルレース８からなっている。本考案では、このラッセルレース８を適宜の細幅として上記したように縦方向にしたり、横方向にして、パイル８ａのパイルの向き８ｂを同一方向として身体に装着して支持させている。
【符号の説明】
【００１３】
１  ブラジャー
２  カップ部
２ａ  カップ部の背面
３  カップ部支承部
３ａ  脇側のカップ側部
４  ブラジャー側部の細条部
４ａ  留め具であるホックの係止環
４ｂ  留め具であるホック
５  ストラップ
６  縦方向に配設の細幅のラッセルレース
７  横方向に配設の細幅のラッセルレース
８  ラッセルレース
８ａ  パイル
８ｂ  パイルの向き
【図１】
0003170589.tif 000003
【図２】
0003170589.tif 000004
【図３】
0003170589.tif 000005